(57)【要約】【課題】ストレスを蓄積せずに二つ折り状態や展開状態が無理なくスムーズに行え、変形や損傷が生じ難く、財布全体の厚みが嵩張らず、多量の紙幣を収容でき、構成簡素で、熟練を要せず、製造し易く、量産に適し、低廉で、経済的な二つ折り財布を提供する。【解決手段】背板１と、背板１の内面がわ左右端部に所定間隔を隔てた状態で夫々固定する一対の個別収容体４と、一対の個別収容体４夫々の背面に設けた横向きポケット部５内にその両端部分を夫々収容する差込み中間板３と、一対の個別収容体４及び差込み中間板３と背板１の間に設けた札入れ部に配する仕切板２とを備え、仕切板２の一端部と差込み中間板３の一端部とを、一方の個別収容体４に夫々固定し、仕切板２の他端部が札入れ部内で移動自在で、差込み中間板３の他端部が他方の個別収容体４の横向きポケット部５内で移動自在となるよう形成する。【選択図】図１
0003152854.tif 000002
【実用新案登録請求の範囲】
【請求項１】
左右に長くその中央部分で二つ折り可能な矩形状の背板と、この背板の内面がわ左右端部に所定間隔を隔てた状態で夫々固定される一対の個別収容体と、この一対の個別収容体夫々の背面に設けた横向きポケット部内にその両端部分が夫々収容される差込み中間板と、一対の個別収容体及び差込み中間板と背板の間に設けた札入れ部に配される仕切板とを備え、仕切板の一端部と差込み中間板の一端部とを、一方の個別収容体に夫々固定し、仕切板の他端部が札入れ部内で移動自在となるよう形成すると共に、差込み中間板の他端部が他方の個別収容体の横向きポケット部内で移動自在となるよう形成したことを特徴とする二つ折り財布。
【請求項２】
前記個別収容体が、小銭入れ或いはカード入れとなるように構成したことを特徴とする請求項１記載の二つ折り財布。
【考案の詳細な説明】
【技術分野】
【０００１】
本考案は、横長でその左右方向中央部分で二つ折り可能となるような二つ折り財布に係り、特に、財布を二つ折り状態や展開状態にするときに、財布自体にストレスが蓄積されないようにすると共に、財布自体の変形や損傷を生じ難くし、二つ折り状態や展開状態がよりスムーズに行え、また、二つ折り状態や展開状態に於いて、財布全体の厚みが嵩張らないようにし、更に、多量の紙幣を無理なく収容することができ、しかも、構成が簡素で、熟練を要することなく製造でき、量産に適し、低廉で、経済的にも優れた二つ折り財布に関するものである。
【背景技術】
【０００２】
従来、この種の二つ折り財布としては、種々のものが提案されており、例えば、特許文献１に示すような札入れが開示されている。
これは、横長の形状で、前面側へ長手方向に二つ折りされ、長辺側に出し入れ口が設けられた札入れ部を備えた札入れにおいて、前記札入れ部を厚み方向に複数の仕切りで仕切り、その短辺側の両側部に襠を付けたものであり、更に、前記複数の仕切りの少なくとも一方の短辺側で仕切りが開放されたものである。
【０００３】
加えて、二つ折り部分に於いて、二枚の仕切りと背面側の外壁と前面側の外壁とが存在し、これらは夫々の底縁部分が縫着されており、しかも、札入れを二つ折りにしたときに、二枚の仕切りや外壁夫々が異なる曲率半径でカーブして、二つ折り部分が綺麗な二つ折り状態となるように予め構成したものである。
【先行技術文献】
【特許文献】
【０００４】
【特許文献１】実用新案登録第３０７０２１４号
【考案の概要】
【考案が解決しようとする課題】
【０００５】
ところが、前述の如き札入れにあっては、これを展開状態とし、前面側の外壁を真直ぐに展開させると、二つ折り部分に於いて、二枚の仕切りが背面側に大きく膨らむと共に、背面側の外壁が背面側に更に大きく膨らんでしまうような難点があった。
すなわち、札入れを二つ折り状態や展開状態にすることがスムーズに行い難く、札入れ自体にストレスが蓄積されて、変形したり損傷したりし易くなる難点があった。
特に、札入れ部に収容されている紙幣の枚数が多い場合は、札入れ自体により大きなストレスが蓄積されるようになる。また、展開状態に於いて、財布全体の厚みがかなり嵩張ってしまう難点もあった。
加えて、二つ折り部分に於いて、綺麗な二つ折り状態となるように二枚の仕切りや外壁夫々を縫着するのには、かなりの熟練を要する問題点もあった。
【０００６】
そこで、本考案は、前述の如き難点等を解消して、財布を二つ折り状態や展開状態にすることがよりスムーズに行え、財布自体にストレスが蓄積されず、変形や損傷が生じ難く、二つ折り状態や展開状態に於いて、財布全体の厚みが嵩張らず、多量の紙幣を無理なく収容でき、しかも、構成簡素で、製造し易く、量産に適し、低廉で、経済的に優れた二つ折り財布を提供できるようにすべく案出されたものである。
【課題を解決するための手段】
【０００７】
しかして、前述の如き課題を達成できるようにすべく、請求項１記載の二つ折り財布にあっては、左右に長くその中央部分で二つ折り可能な矩形状の背板１と、この背板１の内面がわ左右端部に所定間隔を隔てた状態で夫々固定される一対の個別収容体４と、この一対の個別収容体４夫々の背面に設けた横向きポケット部５内にその両端部分が夫々収容される差込み中間板３と、一対の個別収容体４及び差込み中間板３と背板１の間に設けた札入れ部に配される仕切板２とを備え、仕切板２の一端部と差込み中間板３の一端部とを、一方の個別収容体４に夫々固定し、仕切板２の他端部が札入れ部内で移動自在となるよう形成すると共に、差込み中間板３の他端部が他方の個別収容体４の横向きポケット部５内で移動自在となるよう形成する手段を採用した。
【０００８】
また、請求項２記載の二つ折り財布にあっては、前記個別収容体４が、小銭入れ４ａ或いはカード入れ４ｂとなるように構成する手段を採用した。
【考案の効果】
【０００９】
従って、請求項１記載の二つ折り財布によれば、仕切板２と差込み中間板３は、その一端部が一方の個別収容体４に固定されているだけで、仕切板２の他端部は、札入れ部内で移動自在となり、差込み中間板３の他端部は、他方の個別収容体４の横向きポケット部５内で移動自在となっているため、背板１の二つ折り状態に応じて、仕切板２や差込み中間板３の他端部が夫々移動しながら二つ折り状態となると共に、背板１の展開状態に応じて、仕切板２や差込み中間板３の他端部が夫々移動しながら展開状態となり、夫々の動作が無理なくスムーズに行えるようになる。すなわち、財布を二つ折り状態や展開状態にすることがよりスムーズに行えるようになり、しかも、財布自体にストレスが蓄積されず、変形や損傷が生じ難いものとなる。更に、二つ折り状態や展開状態に於いて、財布全体の厚みが嵩張らず、多量の紙幣を無理なく収容できるようになる。
しかも、構成簡素で、製造し易く、量産に適し、低廉で、経済的に優れた二つ折り財布となる。
加えて、二つ折り部分に於ける背板１と仕切板２と差込み中間板３との二つ折り状態の違いを考慮してこれらを縫着する必要がなくなり、熟練を要することなく製造できるようになる。ひいては、コストの低減に役立つようになる。
【００１０】
また、請求項２記載の二つ折り財布によれば、個別収容体４を利用して、小銭入れ４ａやカード入れ４ｂを簡単に構成できるようになると共に、これらを自由に組合せできるようになり、使い勝手の優れた二つ折り財布となる。
【図面の簡単な説明】
【００１１】
【図１】本考案の二つ折り財布を例示する分解斜視図である。
【図２】本考案の二つ折り財布を例示する斜視図である。
【図３】本考案の二つ折り財布を例示する一部切欠正面図である。
【図４】本考案の二つ折り財布を例示する横断平面図である。
【図５】本考案の二つ折り財布の二つ折り状態を例示する平面図である。
【考案を実施するための形態】
【００１２】
以下、本考案を図示例に基づいて説明すると、次の通りである。
本考案の二つ折り財布は、左右に長くその中央部分で二つ折り可能な矩形状の背板１と、この背板１の内面がわ左右端部に所定間隔を隔てた状態で夫々固定される一対の個別収容体４と、この一対の個別収容体４夫々の背面に設けた横向きポケット部５内にその両端部分が夫々収容される差込み中間板３と、一対の個別収容体４及び差込み中間板３と背板１の間に設けた札入れ部に配される仕切板２とを備えたものである。
そして、仕切板２の一端部と差込み中間板３の一端部とを、一方の個別収容体４に夫々固定してある。
更に、仕切板２は、その他端部が札入れ部内で移動自在となるよう形成され、差込み中間板３は、その他端部が他方の個別収容体４の横向きポケット部５内で移動自在となるように構成されている。
すなわち、背板１の二つ折り状態に対しては、仕切板２や差込み中間板３の他端部が夫々移動しながら、仕切板２や差込み中間板３夫々が二つ折り状態となるように形成されている。また、背板１の展開状態に対しては、仕切板２や差込み中間板３の他端部が夫々移動しながら、仕切板２や差込み中間板３夫々が展開状態となるように形成されており、背板１や仕切板２や差込み中間板３にストレスが溜まることなく、夫々の動作が無理なくスムーズに行えるように構成されたものである。
【実施例】
【００１３】
図に示す二つ折り財布は、背板１と、一対の個別収容体４（小銭入れ４ａ、カード入れ４ｂ）と、差込み中間板３と、仕切板２とを適宜縫着することにより構成されたものである。
【００１４】
そして、前記背板１は、例えば、適宜皮革等によって左右に長い矩形状に形成され、その左右方向中央部分で二つ折り可能となるように形成されている。尚、背板１は、適宜内張りが設けられ、その外周縁部分に沿って内張りが縫着されるように形成してある。しかも、その左右方向中央部分を残して、矩形板状の左右補強芯材夫々を挟むように形成しても良い（図４参照）。
【００１５】
前記仕切板２は、例えば、適宜皮革等によって背板１より僅かに小さな左右に長い矩形状に形成されており、札入れ部を適宜区画できるように形成されている。尚、仕切板２は、適宜内張りを設けると共に、その外周縁部分に沿って内張りを縫着するようにしてあっても良い。
【００１６】
前記差込み中間板３は、例えば、適宜皮革等によって仕切板２より僅かに小さな左右に長い矩形状に形成されている。尚、仕切板２は、適宜内張りを設けると共に、その外周縁部分に沿って内張りを縫着するようにしてあっても良い。
【００１７】
前記個別収容体４は、例えば、適宜皮革等によって小銭入れ４ａやカード入れ４ｂとして構成されるもので、全体的に矩形状を呈し、背板１の内面がわ左右端部に所定間隔を隔てた状態で夫々縫着されている。すなわち、一方の個別収容体４（小銭入れ４ａ或いはカード入れ４ｂでも良い）は、その右側縁部分と下端縁部分が背板１に縫着され、他方の個別収容体４（カード入れ４ｂ或いは小銭入れ４ａでも良い）は、その左側縁と部分と下端縁部分とが背板１に縫着されている。
また、一対の個別収容体４夫々の背面部分には、その開口部分が相互に向き合うような一対の横向きポケット部５が形成されている。
しかも、この一対の横向きポケット部５には、差込み中間板３の両端部分が差し込まれている。更に、この差込み中間板３の一端部は、一方の個別収容体４（小銭入れ４ａ）背面の横向きポケット部５に縫着され、差込み中間板３の他端部は、他方の個別収容体４（カード入れ４ｂ）背面の横向きポケット部５内で移動自在となるように形成されている。
しかして、この一対の横向きポケット部５に差込み中間板３の両端部分が差し込まれているため、横向きポケット部５夫々には、差込み中間板３を境とする四つの収納部分が設けられ、この四つの収納部分を利用することにより、より収納が便利となる使い勝手の良い二つ折り財布となる。
【００１８】
そして、一対の個別収容体４（小銭入れ４ａ、カード入れ４ｂ）背面の横向きポケット部５及び差込み中間板３と背板１との間には、札入れ部が形成され、この札入れ部には、前記仕切板２が配されている。しかも、この仕切板２の一端部は、一方の個別収容体４（小銭入れ４ａ）背面の横向きポケット部５に縫着され（前記差込み中間板３と一緒に縫着する）、仕切板２の他端部は、札入れ部内で移動自在となるように形成されている。
【００１９】
ところで、二つ折り財布の具体的構成、形状、寸法、材質、背板１の具体的構成、形状、寸法、材質、仕切板２の具体的構成、形状、寸法、材質、数、配設位置、差込み中間板３の具体的構成、形状、寸法、材質、個別収容体４の具体的構成、形状、寸法、材質、配設位置、小銭入れ４ａの具体的構成、形状、寸法、材質、配設位置、カード入れ４ｂの具体的構成、形状、寸法、材質、配設位置、横向きポケット部５の具体的構成、形状、寸法、材質、配設位置等は図示例のものなどに限定されることなく適宜自由に設定、変更できるものである。
【産業上の利用可能性】
【００２０】
しかして、本考案の二つ折り財布は、熟練を要することなく製造でき、財布自体にストレスが蓄積されず、変形や損傷が生じ難く、二つ折り状態や展開状態がよりスムーズに行え、財布全体の厚みが嵩張らず、多量の紙幣を無理なく収容できるものとなる。
【符号の説明】
【００２１】
１      背板
２      仕切板
３      差込み中間板
４      個別収容体
４ａ    小銭入れ
４ｂ    カード入れ
５      横向きポケット部
【図１】
0003152854.tif 000003
【図２】
0003152854.tif 000004
【図３】
0003152854.tif 000005
【図４】
0003152854.tif 000006
【図５】
0003152854.tif 000007